(57)【要約】【課題】施解錠動作のいずれも上から下への押し下げ動作にでき、操作が容易となる施解錠装置用操作部材を提供する。【解決手段】施解錠装置用操作部材１００において、ベース１１に回動自在に軸支される入力軸１５と、入力軸１５の軸線１９に対し直交方向でスライド自在となる操作杆２１と、操作杆２１の摺動溝１７に沿ってスライド自在となる一対の軸駒２３と、軸駒２３を入力軸側に牽引する一対の引張バネ２５と、操作杆２１の長手方向両端に形成され軸駒２３を係止する一対の保持部２７と、保持部２７に配設され軸駒２３をベース１１に押圧する押圧手段２８と、入力軸１５を挟みベース１１に左右対称に形成され軸駒２３を案内するとともに操作杆２１の回転方向終端位置で一方の軸駒２３を保持部２７から離脱させ他方の軸駒２３を保持部２７へ係止する一対のガイド溝３１と、を設けた。【選択図】  図３
2011157757.tif 000002
【特許請求の範囲】
【請求項１】
ベースに所定の回転角度で回動自在に軸支され錠機構部に連結する入力軸と、
前記入力軸を摺動溝に相対回転不能に挿入するとともに該摺動溝を介し前記入力軸の軸線に対し直交方向でスライド自在となる操作杆と、
前記入力軸を挟んで前記操作杆に設けられ前記摺動溝に沿ってスライド自在となる一対の軸駒と、
それぞれの前記軸駒と前記入力軸を連結し前記軸駒を入力軸側に牽引する一対の引張バネと、
前記操作杆の長手方向両端にそれぞれ形成され前記軸駒を前記引張バネの付勢力に抗して係止する一対の保持部と、
前記保持部に配設され前記軸駒を前記ベースに押圧する押圧手段と、
前記入力軸を挟み前記ベースに左右対称に形成され前記操作杆の回転時に前記軸駒の移動を案内するとともに前記操作杆の回転方向終端位置で一方の前記軸駒を前記保持部から離脱させ他方の前記軸駒を前記保持部へ係止する一対のガイド溝と、
を具備することを特徴とする施解錠装置用操作部材。
【請求項２】
請求項１記載の施解錠装置用操作部材であって、
一対の前記ガイド溝は、近接側端部が深く離反側端部が前記ベースの表面となる斜面で形成され、
前記離反側端部が、回転方向終端位置に配置された前記操作杆の中心線の回転方向手前で終わることを特徴とする施解錠装置用操作部材。
【請求項３】
請求項１又は２記載の施解錠装置用操作部材であって、
一対の前記ガイド溝は、深さ一定の凹溝で形成されるとともに前記離反側端部に前記斜面が形成されることを特徴とする施解錠装置用操作部材。
【請求項４】
請求項１，２，３のいずれか１つに記載の施解錠装置用操作部材であって、
前記入力軸の前記錠機構部との連結端と反対側の突出先端部にはカバー体が設けられ、該カバー体は前記操作杆のスライドを許容して該操作杆の一部分を覆うことを特徴とする施解錠装置用操作部材。
【請求項５】
請求項１，２，３，４のいずれか１つに記載の施解錠装置用操作部材であって、
前記ベースには、前記操作杆の一方の回転方向終端位置に施錠状態を示す第一標示部が設けられ、前記操作杆の他方の回転方向終端位置に解錠状態を示す第二標示部が設けられ、前記操作杆の施錠操作方向を示す第三標示部が設けられ、前記操作杆の解錠操作方向を示す第四標示部が設けられていることを特徴とする施解錠装置用操作部材。
【請求項６】
請求項１，２，３，４，５のいずれか１つに記載の施解錠装置用操作部材であって、
前記軸駒には前記操作杆のベース対向面に当接する押圧機構が備えられ、
前記押圧機構は、前記ベース対向面に当接する転動球と、前記転動球を前記ベース対向面に付勢する付勢バネと、を有することを特徴とする施解錠装置用操作部材。
【発明の詳細な説明】
【技術分野】
【０００１】
本発明は、例えばユニバーサルデザイン対応の操作部材（サムターン等）に用いて好適な施解錠装置用操作部材に関する。
【背景技術】
【０００２】
施解錠装置の操作部材としてのサムターンは、摘み、回転することで施錠から解錠、解錠から施錠の操作となる。その操作は、回転であり、回転角度が９０度としても、右回りと左回り、すなわちその操作が一方向の正回転と、それの反対方向の逆回転である。このことから、手指が不自由な場合や、回転力を十分に発揮できない場合には、その操作が困難となる。
【０００３】
このような状況下における操作性について考慮したものに下記特許文献１，２に開示の従来技術がある。特許文献１の錠前の室内側操作機構は、操作用のレバーが垂下状態で突出し、左右に振ることで操作が可能となる。特許文献２の建具用サムターンは、サムターンの摘み片形状を直線型ではなく十字型に形成し、４片のいずれかで操作ができ、指１本での操作も可能としている。
【先行技術文献】
【特許文献】
【０００４】
【特許文献１】特開２００８−１５０８５０号公報
【特許文献２】特開２００８−２０２２６１号公報
【発明の概要】
【発明が解決しようとする課題】
【０００５】
しかしながら、特許文献１の室内側操作機構は、垂下状態のレバー操作をサムターンにおける施解錠操作の替わりとしているが、コンパクトではない。また、操作は、レバーを左右に倒すものであるため、これを上下方向の操作に転用したとしても、下から上への負担の大きい操作が発生する。特許文献２の建具用サムターンは、上記同様、往復移動の操作であって、正逆両方向の回転操作であり、さらに、操作片を４つに増やしていることから、操作部材が大型となり、それに加えて、施解錠状態や操作方向も視認しにくくなった。
【０００６】
本発明は上記状況に鑑みてなされたもので、その目的は、施解錠動作のいずれも上から下方向への押し下げ動作にでき、操作が容易となる施解錠装置用操作部材を提供することにある。
【課題を解決するための手段】
【０００７】
次に、上記の課題を解決するための手段を、実施の形態に対応する図面を参照して説明する。
本発明の請求項１記載の施解錠装置用操作部材は、ベース１１に所定の回転角度で回動自在に軸支され錠機構部１３に連結する入力軸１５と、
前記入力軸１５を摺動溝１７に相対回転不能に挿入するとともに該摺動溝１７を介し前記入力軸１５の軸線１９に対し直交方向でスライド自在となる操作杆２１と、
前記入力軸１５を挟んで前記操作杆２１に設けられ前記摺動溝１７に沿ってスライド自在となる一対の軸駒２３と、
それぞれの前記軸駒２３と前記入力軸１５を連結し前記軸駒２３を入力軸１５側に牽引する一対の引張バネ２５と、
前記操作杆２１の長手方向両端にそれぞれ形成され前記軸駒２３を前記引張バネ２５の付勢力に抗して係止する一対の保持部２７と、
前記保持部２７に配設され前記軸駒２３を前記ベース１１に押圧する押圧手段２８と、
前記入力軸１５を挟み前記ベース１１に左右対称に形成され前記操作杆２１の回転時に前記軸駒２３の移動を案内するとともに前記操作杆２１の回転方向終端位置で一方の前記軸駒２３を前記保持部２７から離脱させ他方の前記軸駒２３を前記保持部２７へ係止する一対のガイド溝３１と、
を具備することを特徴とする。
【０００８】
この施解錠装置用操作部材１００では、回転する操作杆２１が、施錠・解錠のいずれの位置でも、入力軸１５の位置に対して上側へ端部が突出するようになり、入力軸１５は正逆両方向の回転となるが、実際の操作方向が、正回転とその反対の逆回転ではなく、上から下への一方向の操作となる。
【０００９】
請求項２記載の施解錠装置用操作部材は、請求項１記載の施解錠装置用操作部材１００であって、
一対の前記ガイド溝３１は、近接側端部３５が深く離反側端部３７が前記ベース１１の表面３９となる斜面４１で形成され、
前記離反側端部３７が、回転方向終端位置に配置された前記操作杆２１の中心線４３の回転方向手前で終わることを特徴とする。
【００１０】
この施解錠装置用操作部材１００では、操作杆２１が回転方向の終端位置すなわち操作の終端位置になると、操作杆２１の摺動溝１７をスライドしつつ、ガイド溝３１に沿って案内されていた一方の軸駒２３が斜面４１を上り終える。つまり、ベース１１の表面３９に到達する。軸駒２３は斜面４１を上り、表面３９に達することで、操作杆２１の保持部２７へ押し上げられて係止状態となる。操作杆２１は、保持部２７に係止した軸駒２３が引張バネ２５にて引っ張られていることで、全体が入力軸１５に対してスライドし、反対位置への転換が可能となる。
【００１１】
請求項３記載の施解錠装置用操作部材は、請求項１又は２記載の施解錠装置用操作部材１００であって、
一対の前記ガイド溝３１は、深さ一定の凹溝４５で形成されるとともに前記離反側端部３７に前記斜面４１が形成されることを特徴とする。
【００１２】
この施解錠装置用操作部材１００では、操作杆２１の回転に伴い摺動溝１７をスライドしながらガイド溝３１に沿って案内される一方の軸駒２３が、斜面４１によって徐々に上昇する。
【００１３】
請求項４記載の施解錠装置用操作部材は、請求項１，２，３のいずれか１つに記載の施解錠装置用操作部材１００であって、
前記入力軸１５の前記錠機構部１３との連結端と反対側の突出先端部４７にはカバー体４９が設けられ、該カバー体４９は前記操作杆２１のスライドを許容して該操作杆２１の一部分を覆うことを特徴とする。
【００１４】
この施解錠装置用操作部材１００では、カバー体４９が入力軸１５の突出先端部４７に設けられることで、入力軸１５に対して直交方向でスライドされた操作杆２１の入力軸１５の近傍部分が覆われる。つまり、操作杆２１の次操作部分のみがカバー体４９から突出して表出することとなる。
【００１５】
請求項５記載の施解錠装置用操作部材は、請求項１，２，３，４のいずれか１つに記載の施解錠装置用操作部材１００であって、
前記ベース１１には、前記操作杆２１の一方の回転方向終端位置に施錠状態を示す第一標示部５１が設けられ、前記操作杆２１の他方の回転方向終端位置に解錠状態を示す第二標示部５３が設けられ、前記操作杆２１の施錠操作方向を示す第三標示部５５が設けられ、前記操作杆２１の解錠操作方向を示す第四標示部５７が設けられていることを特徴とする。
【００１６】
この施解錠装置用操作部材１００では、長尺となった操作杆２１の揺動姿勢と、その姿勢位置に対応して付された標示によって、施錠状態，解錠状態，操作方向のそれぞれが容易な視認可能となる。
【００１７】
請求項６記載の施解錠装置用操作部材は、請求項１，２，３，４，５のいずれか１つに記載の施解錠装置用操作部材１００であって、
前記軸駒２３には前記操作杆２１のベース対向面５９に当接する押圧機構６１が備えられ、
前記押圧機構６１は、前記ベース対向面５９に当接する転動球６３と、前記転動球６３を前記ベース対向面５９に付勢する付勢バネ６５と、を有することを特徴とする。
【００１８】
この施解錠装置用操作部材１００では、転動球６３が付勢バネ６５にて操作杆２１のベース対向面５９に付勢されることで、軸駒２３はベース対向面５９から反力を受ける。これにより、軸駒２３は、ベース対向面５９とベース１１の表面３９との高低差によらず、常にガイド溝或いはベース１１の表面３９に押圧状態とされる。
【発明の効果】
【００１９】
本発明に係る請求項１記載の施解錠装置用操作部材によれば、入力軸と、操作杆と、一対の軸駒と、一対の引張バネと、一対の保持部と、押圧手段と、一対のガイド溝と、を備えたので、回転する操作杆が、施錠・解錠のいずれの位置でも、入力軸の位置に対して上側へ端部が突出するようになり、入力軸は正逆両方向の回転となるが、実際の施解錠動作の操作方向が、正回転とその反対の逆回転ではなく、上から下への一方向の押し下げ操作となり、施解錠操作を容易にすることが可能となる。
【００２０】
請求項２記載の施解錠装置用操作部材によれば、一対のガイド溝は、近接側端部が深く離反側端部がベースの表面となる斜面で形成され、離反側端部が、回転方向終端位置に配置された操作杆の中心線の回転方向手前で終わるので、回転方向の終端位置すなわち操作の終端位置では一方の軸駒を確実にベース面上に配置し、その結果、軸駒を操作杆の保持部に嵌めて、操作杆の反対位置への突出を実現できる。
【００２１】
請求項３記載の施解錠装置用操作部材によれば、一対のガイド溝は、深さ一定の凹溝で形成されるとともに離反側端部に斜面が形成されるので、軸駒の移動をスムースにできる。
【００２２】
請求項４記載の施解錠装置用操作部材によれば、入力軸の錠機構部との連結端と反対側の突出先端部にはカバー体が設けられ、カバー体は操作杆のスライドを許容して操作杆の一部分を覆うので、非操作側となる操作杆の端部を隠すことができ、操作部を容易に視認させることができる。
【００２３】
請求項５記載の施解錠装置用操作部材によれば、ベースには、施錠状態を示す第一標示部、解錠状態を示す第二標示部、施錠操作方向を示す第三標示部、解錠操作方向を示す第四標示部を設けたので、施錠状態、解錠状態、操作方向が容易に視認可能となる。
【００２４】
請求項６記載の施解錠装置用操作部材によれば、軸駒には操作杆のベース対向面に当接する押圧機構を備え、押圧機構は、ベース対向面に当接する転動球と、転動球をベース対向面に付勢する付勢バネと、を有するので、軸駒の動きをスムースにでき、移動時における軸駒のガタツキを防止できる。
【図面の簡単な説明】
【００２５】
【図１】本発明に係る施解錠装置用操作部材の正面図である。
【図２】図１の斜視図である。
【図３】（ａ）はＡ−Ａ断面図、（ｂ）はその操作杆をベース平行面で切り欠いた正面図である。
【図４】図３のＢ−Ｂ断面図である。
【図５】操作杆端部の分解斜視図である。
【図６】（ａ）は回転途中のＣ−Ｃ断面図、（ｂ）はその操作杆をベース平行面で切り欠いた正面図である。
【図７】（ａ）は操作杆が回転方向終端位置となったＤ−Ｄ断面図、（ｂ）はその操作杆をベース平行面で切り欠いた正面図である。
【図８】（ａ）は操作杆がスライドしたＥ−Ｅ断面図、（ｂ）はその操作杆をベース平行面で切り欠いた正面図である。
【図９】本発明の他の実施の形態に係る施解錠装置用操作部材の断面図である。
【図１０】図９に示した操作杆をベース平行面で切り欠いた正面図である。
【図１１】図１０に示した操作杆の回転途中の正面図である。
【図１２】図１０に示した操作杆の回転方向終端位置となった正面図である。
【図１３】図１０に示した操作杆のスライド完了状態の正面図である。
【図１４】変形例１に係る操作杆の要部斜視図である。
【図１５】変形例２に係る軸駒の側面図である。
【図１６】（ａ）は軸駒に転動球を用いた変形例３の断面図、（ｂ）はその操作杆をベース平行面で切り欠いた正面図である。
【図１７】（ａ）は図１６に示した操作杆の回転途中の断面図、（ｂ）はその操作杆をベース平行面で切り欠いた正面図である。
【図１８】（ａ）は図１６に示した操作杆が回転方向終端位置となった断面図、（ｂ）はその操作杆をベース平行面で切り欠いた正面図である。
【図１９】（ａ）は軸駒にＴ字部材を用いた変形例４の断面図、（ｂ）はその操作杆をベース平行面で切り欠いた正面図である。
【発明を実施するための形態】
【００２６】
以下、本発明の実施の形態を図面を参照して説明する。
図１は本発明に係る施解錠装置用操作部材の正面図、図２は図１の斜視図、図３（ａ）はＡ−Ａ断面図、（ｂ）はその操作杆をベース平行面で切り欠いた正面図、図４は図３のＢ−Ｂ断面図、図５は操作杆端部の分解斜視図である。
本実施の形態に係る施解錠装置用操作部材１００は、ベース１１に所定の回転角度で回動自在に軸支される入力軸１５に取り付けられる。ベース１１は、扉表面や、扉に取り付けられる化粧板、或いはエスカチオンであってもよい。入力軸１５は例えば９０度の回転角度にて正逆回転することで、施解錠操作力を錠機構部１３の所謂ダルマに入力する。
【００２７】
施解錠装置用操作部材１００は、操作杆２１と、軸駒２３と、引張バネ２５と、保持部２７と、押圧手段２８と、ガイド溝３１と、を主な構成部材として成る。操作杆２１は、入力軸１５に摺動溝１７を相対回転不能に挿入する。操作杆２１は、この摺動溝１７を介して、入力軸１５の軸線１９に対し直交方向でスライド自在となる。本実施の形態において、入力軸１５は端部の形状が方形状に形成されその２面をガイド面として摺接するように摺動溝１７が嵌まり操作杆２１が配置される。また、本実施の形態では、摺動溝１７の下面側となるベース対向面５９にはスロープ７１が設けられている。なお、スロープ７１は、ベース対向面５９に直接形成しても良く、別体のスロープ部材を螺着等するものであってもよい。
【００２８】
軸駒２３は、入力軸１５を挟んで一対のものが操作杆２１に設けられ、それぞれが摺動溝１７に沿ってスライド自在となる。軸駒２３は例えば円柱形状に形成され、図３で示す上面がスロープ７１に摺接する。円柱状に形成された軸駒２３の側部には引張バネ２５を固定する切欠部２３ａが形成される。
【００２９】
引張バネ２５は、それぞれの軸駒２３，２３と入力軸１５を連結して一対のものが配設される。それぞれの引張バネ２５，２５は、軸駒２３，２３を入力軸１５側に牽引している。なお、この引張バネ２５は、図に示すように入力軸１５と各軸駒２３，２３との間にそれぞれ配設されるように２個１組で構成しても良く、或いは図示しないが入力軸１５に略中間部分を固定又は支持される１つのバネよりなる構成として両端部が外方向へ延出し、各端部に軸駒２３，２３がそれぞれ連結されるような構成としても良い。
【００３０】
操作杆２１の長手方向両端には、摺動溝１７に連通してそれぞれ保持部２７が形成されている。保持部２７は、図５に示すように、略円柱空間状に形成され、引張バネ２５を伸張させて摺動溝１７の端に至った軸駒２３を挿入保持する。つまり、保持部２７は、進入した軸駒２３を、引張バネ２５の付勢力に抗して係止するよう働く。
【００３１】
保持部２７には押圧手段２８が配置される。押圧手段２８は、押圧板２９と圧縮バネ７３とで構成されており、保持部２７と押圧板２９との間に圧縮バネ７３が配設され、これにより押圧板２９は軸駒２３をベース１１方向に押圧する。圧縮バネ７３は、蓋材７５を開閉することで、操作杆２１の表面側から装着可能となっている。蓋材７５は、着色や三角形状とすることで後述する標示部とすることもできる。なお、本実施の形態では圧縮バネ７３により付勢力を得る構成としているが、この付勢力は板バネにて構成することとしてもよく、板バネ自体の形状により押圧板２９を兼ねる構造、すなわち押圧手段２８として板バネのみで構成することとしても良い。また、押圧手段２８の構成として、上記した板状の押圧板２９ではなく、ブロック状に形成される押圧部材等としても良く、圧縮バネ７３についても、付勢力を得られるものであれば、例えばゴム材質などの部材や発泡樹脂などで構成することとしてもよい。
【００３２】
ベース１１には、入力軸１５を挟み左右対称に一対のガイド溝３１が形成されている。本実施の形態ではハの字状に形成される。ガイド溝３１は、操作杆２１の回転時に、軸駒２３の移動を案内する。つまり、軸駒２３はガイド溝３１に沿って移動する。また、ガイド溝３１は、後述の斜面を有することで、操作杆２１の回転方向終端位置で一方の軸駒２３を保持部２７から離脱させ、他方の軸駒２３を保持部２７へ係止するよう働く。
【００３３】
図４に示すように、ガイド溝３１は、始点である近接側端部３５の底部４５から終点である離反側端部３７に連続した斜面４１で形成される。また、ガイド溝３１は、図３に示すように、斜面４１の終点が、操作杆２１の中心線４３上に重ならないように形成されている。これは、ガイド溝３１から退出直後に、表面３９上での軸駒２３の移動を可能とするためである。斜面４１が形成されることで、操作杆２１の回転に伴い摺動溝１７をスライドしながらガイド溝３１に沿って案内される一方の軸駒２３が、斜面４１によって徐々に上昇し、軸駒２３のスムースな移動が可能となっている。また、本実施の形態では、ガイド溝３１は、螺旋の一部のような湾曲したスロープよりなる。このガイド溝３１の湾曲は、操作杆２１の両端の距離、具体的には操作杆２１の両端に形成される保持部２７，２７の各中心の間隔距離長さを半径とする円を、入力軸１５を中心とした際の操作杆２１の離反側の保持部２７の描く円形の軌跡線と操作杆２１の中心線４３との交点を中心として描いた弧の一部とされ形成されている。なお、このガイド溝は湾曲せずに、真直な凹溝でも良い。
【００３４】
このように、一対のガイド溝３１は、近接側端部３５が深く離反側端部３７がベース１１の表面３９となる斜面４１で形成され、離反側端部３７が、回転方向終端位置に配置された操作杆２１の中心線４３の回転方向手前で終わる。操作杆２１が回転方向の終端位置すなわち操作の終端位置になると、操作杆２１の摺動溝１７をスライドしつつ、一方のガイド溝３１に沿って案内されていた一方の軸駒２３が斜面４１を上り終える。つまり、ベース１１の表面３９に到達する。軸駒２３は斜面４１を上り、表面３９に達することで、操作杆２１の保持部２７へ押し上げられて係止状態となる。なお、この係止状態となると、他方の軸駒２３は、他方のガイド溝３１の近接側端部３５上となり、押圧板２９に押圧されてこの近接側端部３５に落ち込む。操作杆２１は、保持部２７に係止した一方の軸駒２３が引張バネ２５にて引っ張られていることで、全体が入力軸１５に対してスライドし、反対位置への転換が可能となる。
【００３５】
回転方向終端位置では一方の軸駒２３を確実にベース面上に配置し、その結果、軸駒２３を操作杆２１の保持部２７に嵌めて、操作杆２１の反対位置への突出を実現できるようになされている。これにより、操作杆２１は、もう一方の端部が操作端となって入力軸１５よりも上方向に突出することとなる。
【００３６】
入力軸１５には、錠機構部１３との連結端と反対側の突出先端部４７に、図２に示すカバー体４９が設けられている。カバー体４９は、操作杆２１のスライドを許容して操作杆２１の一部分を覆う。カバー体４９は、例えば、入力軸１５の上端からネジ或いはピンを突出させて、操作杆２１のスリット１７ａを貫通させ、固定することができる。カバー体４９は、操作杆２１の操作端部のみが突出するようにして、非操作端部側は目立たないようにする。
【００３７】
カバー体４９が入力軸１５の突出先端部４７に設けられることで、入力軸１５に対して直交方向でスライドされた操作杆２１の入力軸１５の近傍部分が覆われる。つまり、操作杆２１の次操作部分のみがカバー体４９から突出して表出することとなる。
【００３８】
カバー体４９が、操作杆２１のスライドを許容して操作杆２１の一部分を覆うことで、施解錠装置用操作部材１００は、非操作側となる操作杆２１の端部を隠すことができ、操作部を容易に視認させることができる。なお、カバー体４９は、ベース１１に固定し、操作杆２１の一部を覆うものであってもよい。また、カバー体４９には後述する標示を設けても良い。
【００３９】
ベース１１には、操作杆２１の一方の回転方向終端位置に施錠状態を示す第一標示部５１が設けられている。また、ベース１１には、操作杆２１の他方の回転方向終端位置に解錠状態を示す第二標示部５３が設けられている。さらに、ベース１１には、操作杆２１の施錠操作方向を示す第三標示部５５と、操作杆２１の解錠操作方向を示す第四標示部５７が設けられている。
【００４０】
第一、第二、第三、第四標示部５１〜５７は、「施」「解」などの文字や操作方向を示す矢印などとして形成することができる。形成方法は、例えば印刷、刻印等とすることができる。長尺となった操作杆２１の揺動姿勢と、その姿勢位置に対応して付された第一、第二、第三、第四標示部５１〜５７によって容易な視認が可能となる。その結果、施錠状態、解錠状態、操作方向が容易に認識できるようになっている。
【００４１】
次に、上記構成を有する施解錠装置用操作部材１００の作用を説明する。
図６（ａ）は回転途中のＣ−Ｃ断面図、（ｂ）はその操作杆をベース平行面で切り欠いた正面図である。
施解錠装置用操作部材１００は、図３に示した施錠状態において、操作杆２１の上端が第四標示部５７の矢印方向、すなわち、解錠方向に押し下げられると、入力軸１５が図６の時計回りに回転される。入力軸１５が約４５°回転され操作杆２１が水平位置になると、図６の右方のガイド溝３１に位置する軸駒２３は、引張バネ２５を延ばしながら操作杆２１の摺動溝１７を右方へスライドする。左方の軸駒２３は、保持部２７に保持されたまま引張バネ２５を引っ張り、ベース１１の表面３９をスライドする。これにより操作杆２１は右方に突出状態となる。なお、操作杆２１のベース対向面５９にスロープ７１を形成していることで、軸駒２３は、斜面４１を移動しても常にベース対向面５９に接触状態となる。
【００４２】
図７（ａ）は操作杆が回転方向終端位置となったＤ−Ｄ断面図、（ｂ）はその操作杆をベース平行面で切り欠いた正面図である。
操作杆２１の上端がさらに押し下げられ、操作杆２１が施錠位置から回転方向終端位置まで９０度回転され、操作杆２１の上端が最下端となると、右方の軸駒２３が斜面４１を上り終え、ベース１１の表面３９に到達する。表面３９に到達した軸駒２３は、表面３９からの反力により押し上げられ、圧縮バネ７３の付勢力に抗して押圧板２９を押し上げ、保持部２７に係止する。一方、左方の軸駒２３は、いままで摺動していた表面３９から左方のガイド溝３１の近接側端部３５に到達することで、圧縮バネ７３の付勢力により押圧板２９に押圧されて近接側端部３５に落ち込む。
【００４３】
図８（ａ）は操作杆がスライドしたＥ−Ｅ断面図、（ｂ）はその操作杆をベース平行面で切り欠いた正面図である。
左方の軸駒２３が近接側端部３５に落ち、右方の軸駒２３がガイド溝３１から外れることで、右方の軸駒２３とガイド溝３１との係止が解除され、伸張していた右方の引張バネ２５の張力が、保持部２７に係止した軸駒２３を介して操作杆２１の右端に作用する。この引張バネ２５の引っ張り力により、操作杆２１は、摺動溝１７を入力軸１５に対してスライドさせ、左端が上端となるようにして移動して、第二標示部５３を指す位置に配置される。
【００４４】
上記作用は、施錠状態から解錠状態への作用を説明したが、解錠状態から施錠状態への作用も左右が反転するのみで上記と同様の作用により実現される。
【００４５】
このように、施解錠装置用操作部材１００では、回転する操作杆２１が、施錠・解錠のいずれの位置でも、上側へ端部が突出するようになり、入力軸１５は正逆両方向の回転となるが、実際の操作方向が、正回転とその反対の逆回転ではなく、上から下への一方向の操作となる。施解錠の操作を行うつまみ部分の位置が、回転の中心よりも半分上（片側半分）に寄っており、入力軸１５の位置を挟んで左右に位置するが、実際には入力軸１５より突出している操作部分が施錠操作も解錠操作も上から下への操作となる。これにより、操作性の統一感、分かり易さが図られる。
【００４６】
次に、本発明に係る施解錠装置用操作部材の他の実施の形態を説明する。
図９は本発明の他の実施の形態に係る施解錠装置用操作部材の断面図、図１０は図９に示した操作杆をベース平行面で切り欠いた正面図、図１１は図１０に示した操作杆の回転途中の正面図、図１２は図１０に示した操作杆の回転方向終端位置となった正面図、図１３は図１０に示した操作杆のスライド完了状態の正面図である。
この実施の形態による施解錠装置用操作部材１００Ａは、上記の施解錠装置用操作部材１００の構成を単純化したものである。この実施の形態による施解錠装置用操作部材１００Ａは、操作杆２１のベース対向面５９にスロープ７１が形成されていない。これにより、操作杆２１を容易に製作することができる。軸駒２３は、ガイド溝３１の近接側端部３５で保持部２７に係止解除し、離反側端部３７である表面３９で保持部２７に係止する高さを有する。本実施の形態では、その係止・係止解除を、各部の遊び（クリアランス）で吸収することにより可能とする。他の構成は上記施解錠装置用操作部材１００と同様である。
【００４７】
この実施の形態による施解錠装置用操作部材１００Ａにおいても、図１０に示す施錠状態において、操作杆２１の上端が解錠方向に押し下げられると、入力軸１５が時計回りに回転され、図１１に示す水平位置に配置される。このとき、右方のガイド溝３１に位置する軸駒２３は、引張バネ２５を延ばしながら操作杆２１の摺動溝１７を右方へスライドする。左方の軸駒２３は、保持部２７に保持されたまま引張バネ２５を引っ張り、ベース１１の表面３９をスライドする。これにより操作杆２１は右方に突出状態となる。
【００４８】
図１２に示すように、操作杆２１の上端が最下端まで押し下げられることにより、操作杆２１が施錠位置から回転方向終端位置まで９０度回転されると、右方の軸駒２３が斜面４１を上り終え、ベース１１に表面３９に到達し、保持部２７に係止する。一方、左方の軸駒２３は、いままで摺動していた表面３９から左方のガイド溝３１の近接側端部３５に到達することで、圧縮バネ７３の付勢力により押圧板２９に押圧されて近接側端部３５に落ちる。
【００４９】
左方の軸駒２３が近接側端部３５に落ち、右方の軸駒２３がガイド溝３１から外れることで、右方の軸駒２３とガイド溝３１との係止が解除され、伸張していた右方の引張バネ２５の張力が、保持部２７に係止した軸駒２３を介して操作杆２１の右端に作用する。この引張バネ２５の引っ張り力により、操作杆２１は、摺動溝１７を入力軸１５に対してスライドさせ、図１３に示すように、左端が上端となるようにして移動して、解錠位置に配置される。
【００５０】
次に、上記構成要部の変形例を説明する。
図１４は変形例１に係る操作杆の要部斜視図である。
操作杆２１Ａは、上記した操作杆２１のスリット１７ａ（図１参照）が無い構成であってもよい。これにより、操作杆２１Ａの見栄えをよくすることができる。また、引張バネ２５や軸駒２３の外部からの干渉を防止して動作の信頼性を高めることができる。さらに、操作杆２１Ａは、端部に凸部８５を形成し、この凸部８５の内方空間を軸駒２３の進入する保持部２７としても良く、またこの凸部８５により、操作杆２１の端部を触覚的に認識可能となる。なお、操作杆２１Ａの場合には、ネジ等を貫通させるスリット１７ａが無いため、カバー体４９はベース１１に取り付けられることとなる。
【００５１】
図１５は変形例２に係る軸駒の側面図である。
軸駒２３は、底面が平らでなく、球面８７で構成されても良い。これにより、軸駒２３がガイド溝３１や表面３９を摺動する際の摩擦抵抗が小さくなる。また、ガイド溝３１から表面３９への移動、表面３９からガイド溝３１内への移動がスムースとなる。
【００５２】
また、ガイド溝３１は、図１５に示すように、始点である近接側端部３５から終点である離反側端部３７の直前まで深さ一定の水平な凹溝とし、離反側端部３７の直前から立ち上がるような斜面４１を形成されることとしてもよい。このような構成では、斜面４１を部分的に形成する構造とすることで、ガイド溝３１を形成し易くできる。
【００５３】
図１６（ａ）は軸駒に転動球を用いた変形例３の断面図、（ｂ）はその操作杆をベース平行面で切り欠いた正面図、図１７（ａ）は図１６に示した操作杆の回転途中の断面図、（ｂ）はその操作杆をベース平行面で切り欠いた正面図、図１８（ａ）は図１６に示した操作杆が回転方向終端位置となった断面図、（ｂ）はその操作杆をベース平行面で切り欠いた正面図である。
この変形例３に係る施解錠装置用操作部材１００Ｂは、軸駒２３Ａに、操作杆２１のベース対向面５９に当接する押圧機構６１が備えられる。押圧機構６１は、ベース対向面５９に当接する転動球６３と、転動球６３をベース対向面５９に付勢する付勢バネ６５と、を有する。
【００５４】
この施解錠装置用操作部材１００Ｂにおいても、図１６に示す施錠状態から、操作杆２１の上端が解錠方向に押し下げられると、入力軸１５が時計回りに回転され、図１７に示す水平位置に配置される。図１８に示すように、操作杆２１の上端が最下端まで押し下げられることにより、右方の軸駒２３Ａが斜面４１を上り終え、ベース１１に表面３９に到達し、保持部２７に係止する。一方、左方の軸駒２３Ａは、いままで摺動していた表面３９から左方のガイド溝３１の近接側端部３５に到達することで、圧縮バネ７３の付勢力により押圧板２９に押圧されて近接側端部３５に落ちる。その後、上記作用と同様に、引張バネ２５の引っ張り力により、操作杆２１は、左端が上端となるようにして移動して、解錠位置に配置される。
【００５５】
この施解錠装置用操作部材１００Ｂでは、転動球６３が付勢バネ６５にて操作杆２１のベース対向面５９に付勢されることで、軸駒２３はベース対向面５９から反力を受ける。これにより、軸駒２３は、ベース対向面５９とベース１１の表面３９との高低差によらず、常にガイド溝３１或いはベース１１の表面３９に押圧状態とされる。
【００５６】
この変形例３によれば、ガイド溝３１と操作杆２１の摺動溝１７との間隔の拡縮に対応して、軸駒２３Ａの動きをスムースにでき、移動時における軸駒２３Ａのガタツキを防止できる。
【００５７】
図１９（ａ）は軸駒にＴ字部材を用いた変形例４の断面図、（ｂ）はその操作杆をベース平行面で切り欠いた正面図である。
なお、押圧機構６１に用いられる転動球６３は、板状の部材、或いはＴ字状の摺接部材８９を付勢バネ６５とともに設け、ベース対向面５９に向けて付勢力で当接させ、摺接にて摺動溝１７を移動させる構成としてもよい。
【００５８】
したがって、上記本実施の形態に係る施解錠装置用操作部材１００、１００Ａ、１００Ｂによれば、施解錠動作のいずれも上から下への操作となる押し下げ動作にでき、施解錠操作を容易にすることができる。また、操作の対象となる部分が上方向に突出し、視覚的にも触覚的にも錠装置の状態、すなわち施錠状態か解錠状態かを判別し易くなる。この結果、特にユニバーサルデザイン対応の操作部材、所謂サムターン等に用いて良好な操作性を発揮させることができる。
【符号の説明】
【００５９】
１１…ベース
１３…錠機構部
１５…入力軸
１７…摺動溝
１９…軸線
２１…操作杆
２３…軸駒
２５…引張バネ
２７…保持部
２８…押圧手段
３１…ガイド溝
３５…近接側端部
３７…離反側端部
３９…表面
４１…斜面
４３…中心線
４５…凹溝
４７…突出先端部
４９…カバー体
５１…第一標示部
５３…第二標示部
５５…第三標示部
５７…第四標示部
５９…ベース対向面
６１…押圧機構
６３…転動球
６５…付勢バネ
１００…施解錠装置用操作部材
【図１】
2011157757.tif 000003
【図２】
2011157757.tif 000004
【図３】
2011157757.tif 000005
【図４】
2011157757.tif 000006
【図５】
2011157757.tif 000007
【図６】
2011157757.tif 000008
【図７】
2011157757.tif 000009
【図８】
2011157757.tif 000010
【図９】
2011157757.tif 000011
【図１０】
2011157757.tif 000012
【図１１】
2011157757.tif 000013
【図１２】
2011157757.tif 000014
【図１３】
2011157757.tif 000015
【図１４】
2011157757.tif 000016
【図１５】
2011157757.tif 000017
【図１６】
2011157757.tif 000018
【図１７】
2011157757.tif 000019
【図１８】
2011157757.tif 000020
【図１９】
2011157757.tif 000021